(57)【特許請求の範囲】
【請求項１】
１本の可撓性を有する合成樹脂製の給水湯管の途中を略９０°に屈曲させた屈曲部を収容保護するために、直線配管経路を構成していて、前記給水湯管の２つの直線部を収容保護するための２つの直線配管部保護カバーを略直交させて接続するために両端部に形成された２つの接続口と、前記給水湯管の屈曲部を収容保護するために内部に形成された収容空間とを備えた給水湯管の屈曲配管部保護カバーであって、
前記屈曲配管部保護カバーは、基台と蓋体とが互いに組み付けられて前記屈曲部を配管する屈曲配管経路が内部に形成され、
前記基台における２つの接続口の近辺であって、前記屈曲配管経路の外側には、給水湯管の熱膨張による伸長、又は屈曲による復元力により当接して、屈曲された給水湯管の２つの直線部で形成される屈曲部形成角度が大きくなるように外側に移動するのを規制する規制壁が形成され、
前記基台における屈曲配管経路の内側には、給水湯管が乗り越えられない高さを有して、給水湯管の屈曲部を前記屈曲配管経路に沿わせて配管可能にするための案内壁が形成され、
前記屈曲配管部保護カバー内には、屈曲配管経路に沿わせて前記収容空間に給水湯管の屈曲部を配管した状態において、熱膨張により伸長した給水湯管の屈曲部の進入を許容する進入許容空間が前記屈曲配管経路の外側に前記収容空間に接続して形成されていることを特徴とする給水湯管の屈曲配管部保護カバー。
【請求項２】
前記基台における２つの接続口の近辺であって、前記屈曲配管経路の外側には、給水湯管を当接させることにより、当該給水湯管の直線部及び屈曲部を直線配管経路から屈曲配管経路にスムーズに導くべく、直線配管部保護カバーに形成された管保持部の管軸位置とほぼ一致する軸合せ部が形成されていることを特徴とする請求項１に記載の給水湯管の屈曲配管部保護カバー。
【請求項３】
１本の可撓性を有する合成樹脂製の給水湯管の途中を略９０°に屈曲させた屈曲部を収容保護するために、直線配管経路を構成していて、前記給水湯管の２つの直線部を収容保護するための２つの直線配管部保護カバーを略直交させて接続するために両端部に形成された２つの接続口と、前記給水湯管の屈曲部を収容保護するために内部に形成された収容空間とを備えた給水湯管の屈曲配管部保護カバーであって、
前記基台における２つの接続口の近辺であって、前記屈曲配管経路の外側には、給水湯管の熱膨張による伸長、又は屈曲による復元力により当接して、屈曲された給水湯管の２つの直線部で形成される屈曲部形成角度が大きくなるように外側に移動するのを規制する規制壁が形成され、
前記屈曲配管部保護カバーは、基台と蓋体とが互いに組み付けられて前記屈曲部を配管する屈曲配管経路が内部に形成され、前記基台における屈曲配管経路の内側には、初期配管の基準となる案内壁が形成され、
前記屈曲配管部保護カバー内には、前記案内壁に沿って給水湯管の一部を当接させることにより、屈曲配管経路に沿わせて前記収容空間に給水湯管の屈曲部を初期配管した状態において、熱膨張により伸長した給水湯管の屈曲部の進入を許容する進入許容空間が前記屈曲配管経路の外側に前記収容空間に接続して形成されていることを特徴とする給水湯管の屈曲配管部保護カバー。
【請求項４】
前記屈曲配管部保護カバーは、壁面と平行な面内において屈曲された給水湯管の屈曲部を収容保護するものであることを特徴とする請求項１ないし３のいずれかに記載の給水湯管の屈曲配管部保護カバー。
【請求項５】
直線配管経路を構成する直線配管部保護カバーと、２本の直線配管部保護カバーの接続部に配設されて屈曲配管経路を構成する屈曲配管部保護カバーとによって、可撓性を有する合成樹脂管で形成されて、一端部は給湯先となる蛇口類に接続され、その他端部は給湯元となる給湯器類に接続されて、少なくとも１箇所には、同一平面内で屈曲された屈曲部を有する１本の給水湯管を配管する構造であって、
前記屈曲配管部保護カバーは、直線配管部保護カバーと接続される２つの接続口を備えて、内部の屈曲配管経路の外側に、熱膨張により伸長した給水湯管の屈曲部の進入を許容する進入許容空間が形成されていると共に、前記屈曲配管経路の内側に、初期配管の基準となる案内壁が形成され、
前記屈曲配管部保護カバー内には、前記各接続口の近辺において、熱膨張による給水湯管の屈曲部の伸長を前記進入許容空間の側に導くために、前記屈曲配管経路の外側に配置されて給水湯管の外側面を当接させるための規制壁が形成され、
前記１本の給水湯管の複数の直線部は、前記直線配管部保護カバー内において、給水湯管の外周面を圧接する保持部により保持されて直線配管されると共に、前記給水湯管の屈曲部は、前記屈曲配管部保護カバー内において、熱膨張による給水湯管の伸長が当該屈曲部に集約されることにより、屈曲配管経路の外側の進入許容空間に進入可能なように、前記案内壁に沿った状態で当該屈曲配管経路に屈曲配管されることを特徴とする屈曲部を有する１本の給水湯管の配管構造。
【請求項６】
直線配管経路を構成する直線配管部保護カバーと、２本の直線配管部保護カバーの接続部に配設されて屈曲配管経路を構成する屈曲配管部保護カバーとによって、可撓性を有する合成樹脂管で形成されて、一端部は給湯先となる蛇口類に接続され、その他端部は給湯元となる給湯器類に接続されて、少なくとも１箇所には屈曲部を有する１本の給水湯管を配管する構造であって、
前記屈曲配管部保護カバーは、直線配管部保護カバーと接続される２つの接続口を備えて、内部の屈曲配管経路の外側に、熱膨張により伸長した給水湯管の屈曲部の進入を許容する進入許容空間が形成されていると共に、前記屈曲配管経路の内側に、初期配管の基準となる案内壁が形成され、
前記屈曲配管部保護カバー内には、前記各接続口の近辺において、熱膨張による給水湯管の屈曲部の伸長を前記進入許容空間の側に導くために、前記屈曲配管経路の外側に配置されて給水湯管の外側面を当接させるための規制壁が形成され、
前記１本の給水湯管の複数の直線部は、前記直線配管部保護カバー内において、給水湯管の外周面を圧接する保持部により保持されて直線配管されると共に、前記給水湯管の屈曲部は、前記屈曲配管部保護カバー内において、熱膨張による給水湯管の伸長が当該屈曲部に集約されることにより、屈曲配管経路の外側の進入許容空間に進入可能なように、当該屈曲配管経路に屈曲配管されることを特徴とする屈曲部を有する１本の給水湯管の配管構造。
【請求項７】
前記屈曲配管部保護カバー内には、前記各接続口の近辺において、前記直線配管部保護カバーの保持部により保持された給水湯管の管軸と略同一位置に給水湯管を配置可能とする軸合せ部が形成されていることを特徴とする請求項６に記載の屈曲部を有する１本の給水湯管の配管構造。
【発明の詳細な説明】
【技術分野】
【０００１】
本発明は、屈曲部を有する１本の給水湯管の当該屈曲部を収容配管するための屈曲配管部保護カバー、及び屈曲部を有する１本の給水湯管の配管構造に関するものである。
【背景技術】
【０００２】
給水湯管として、可撓性と適度な剛性を有していて、手で折曲げ可能な合成樹脂管（架橋ポリエチレン管や架橋ポリブデン管）が使用されている。リフォーム等で給水湯管（以下、単に「管」と略す場合もある）を壁に対して露出状態で配管する際には、管は保護カバー内に収容保護されることにより、配管経路が定められる。配管経路が壁面内、或いは壁面に対して垂直な面内で曲がっている場合には、可撓性を利用して管を屈曲させている（殆どの屈曲角度は、略９０°である）。
【０００３】
しかし、管の熱膨張（線膨張）により、当該管が伸長して保護カバーに当接して大きな力を作用させることにより、保護カバーを構成する基台に対して蓋体が外れてしまう。配管の途中に屈曲部を有していて、その一端部が給湯元となる蛇口７１、湯沸し器等の蛇口類に接続されていると共に、その他端部が給湯先となる給湯器７２、或いはその分岐管に接続されている場合〔蛇口７１及び給湯器７２に関してのみ図１０（ロ）参照〕には、配管を構成する管の両端部はしっかりと固定されているため、熱膨張による伸長は前記屈曲部に集約され易いので、屈曲部の保護カバーの蓋体が特に外れ易い。なお、管の直線部を保護する保護カバーにおいても、管の直線部が熱膨張による伸長により蛇行して、蓋体が外れることもある。
【０００４】
このため、特許文献１及び図１０（ロ）に示されるように、屈曲部にはエルボ継手６１を使用して直管状の管Ｐ0 どうしを接続していた。また、直線配管部においても、管の全長が長い場合には熱膨張により管が蛇行して、保護カバーの蓋体が外れることがあるため、１本の直管の長さを短くして、複数本の直管Ｐ0 を直線継手６２を用いて接続して全体を１本の直管となるように施工していた〔図１０（ハ）〕。このように、１本の管の長さを短くして多数の継手を使用すると、管と継手との接続箇所が増え、これに対応して漏水の危険が高まると共に、接続作業や接続確認のために手間がかかり、更に総部品点数が増大して部品、及び管理の各費用が嵩むという問題があった。一方、管の全長が長いと継手の数は減るが、熱膨張による負荷が特定の継手や管の屈曲部に集中して作用するため、負荷に対する負担が大きくなって、継手の部分においては、接続不良となって漏水が発生すると共に、屈曲部においては、上記したように保護カバーの蓋体が外れてしまう問題があった。
【０００５】
従来の管の曲り部の配管に関しては、エルボ継手を使用している場合が大部分であるので、熱膨張による伸長の全てを管の直線部で吸収する配管となる。その結果、管の熱膨張により直線部の管の保護カバーの蓋体が外れるのを防止するには、直線部の管の長さを短くして、各直管を直線継手で接続する配管構造を採用せざるを得なかった。
【先行技術文献】
【特許文献】
【０００６】
【特許文献１】特開平１１−１０１３８９号公報
【発明の概要】
【発明が解決しようとする課題】
【０００７】
本発明は、従来の配管構造の有する上記問題点に鑑み、管の途中を屈曲させた１本の長い管による配管を可能にし、しかも当該管の屈曲部において保護カバーの蓋体が外れないようにすることを課題としている。
【課題を解決するための手段】
【０００８】
上記の課題を解決するための請求項１の発明は、１本の可撓性を有する合成樹脂製の給水湯管の途中を略９０°に屈曲させた屈曲部を収容保護するために、直線配管経路を構成していて、前記給水湯管の２つの直線部を収容保護するための２つの直線配管部保護カバーを略直交させて接続するために両端部に形成された２つの接続口と、前記給水湯管の屈曲部を収容保護するために内部に形成された収容空間とを備えた給水湯管の屈曲配管部保護カバーであって、前記屈曲配管部保護カバーは、基台と蓋体とが互いに組み付けられて前記屈曲部を配管する屈曲配管経路が内部に形成され、前記基台における２つの接続口の近辺であって、前記屈曲配管経路の外側には、給水湯管の熱膨張による伸長、又は屈曲による復元力により当接して、屈曲された給水湯管の２つの直線部で形成される屈曲部形成角度が大きくなるように外側に移動するのを規制する規制壁が形成され、前記基台における屈曲配管経路の内側には、給水湯管が乗り越えられない高さを有して、給水湯管の屈曲部を前記屈曲配管経路に沿わせて配管可能にするための案内壁が形成され、前記屈曲配管部保護カバー内には、屈曲配管経路に沿わせて前記収容空間に給水湯管の屈曲部を配管した状態において、熱膨張により伸長した給水湯管の屈曲部の進入を許容する進入許容空間が前記屈曲配管経路の外側に前記収容空間に接続して形成されていることを特徴としている。
【０００９】
給水湯管の一端部は給湯先となる蛇口類に接続され、その他端部は給湯元となる給湯器、又は当該給湯器に接続された分岐管（以下、「給湯器類」という）に接続される。このように配管される給水湯管が壁面に平行又は垂直な平面内において略９０°に屈曲されている場合において、当該給水湯管が給湯により加熱されて膨張した場合には、当該給水湯管の両端部は、蛇口類、或いは給湯器類にそれぞれしっかりと固定されているため、給水湯管が膨張して伸長された部分は、２つの直線部で蛇行するか、或いは屈曲部に集約される。
【００１０】
請求項１の発明では、屈曲配管部保護カバーを構成する基台の２つの接続口の近辺であって、前記屈曲配管経路の外側には、熱膨張による伸長、或いは屈曲された給水湯管の復元力により当接して、当該復元力により屈曲された給水湯管の２つの直線部で形成される屈曲部形成角度が大きくなるように外側に移動するのを規制する規制壁が形成されているため、給湯熱により給水湯管が膨張されても、各規制壁から給水湯管の両端に至る２つの直線部が直線配管経路から外側に移動することはなく、しかも屈曲部の部分は他の部材に対して固定されていない。この結果、加熱による給水湯管の伸長の大部分は屈曲部に集約されて吸収され、当該屈曲部が保護カバー内の屈曲配管経路から外側に移動する。請求項１の発明では、給水湯管が加熱されていない非膨張時に屈曲部を収容するために保護カバー内に形成された収容空間の外側には、当該収容空間に接続して進入許容空間が設けられていて、給水湯管の熱膨張による伸長部は、保護カバー内の収容空間に収容されている屈曲部に集約・吸収されるため、当該屈曲部は、給水湯管の膨張によって収容空間の外側の進入許容空間の側に移動して当該進入許容空間に収容される。この結果、加熱膨張により外側に移動する屈曲部が屈曲配管部保護カバーに対して力を及ぼさないので、基台に対して蓋体が外れなくなる。また、保護カバーの２つの接続口の近辺であって、屈曲配管経路の外側に形成された２つの規制壁の上記作用、及び保護カバー内に形成された進入許容空間の上記作用によって、加熱膨張による給水湯管の２つの直線部の蛇行量が少なくなるため、屈曲された給水湯管の直線配管経路に配設された直線配管部保護カバーの蓋体が基台から外れるのを防止することもできる。
【００１１】
また、給水湯管の屈曲部は、元の形状に戻ろうとする復元力によって、保護カバーの基台の２つの接続口の近辺に設けられた各規制壁に当接した状態で、屈曲配管経路に沿って配管されるため、保護カバー内において位置ずれすることなくしっかりと配管できる。更に、途中に屈曲部が形成されている給水湯管の使用が可能になるために、１本の給水湯管の長さが長くなって、給水湯管どうしを接続するための継手の数が大幅に減少する。この結果、継手の部分における漏水等の発生が激減すると共に、配管作業の手間も少なくなって、配管を能率的に行える。また、継手の数が減少することにより部品コスト、管理コスト等も低下する。
【００１２】
また、請求項１の発明によれば、保護カバーを構成する基台の屈曲配管経路の内側に、給水湯管が乗り越えられない高さを有して形成された案内壁に沿わせて給水湯管の屈曲部を配管すると、当該屈曲部は基台の屈曲配管経路に沿って配置される。このように、基台に形成された案内壁が給水湯管の屈曲部の初期配管の基準となるため、弾性復元力により２つの直線部で形成される屈曲部形成角度が大きくなるように変形するために、取り扱いにくくて、配管時において屈曲部の配管が特に難しい屈曲部を有する給水湯管の配管を容易に行える。また、案内壁は給水湯管が乗り越えられない高さを有しているため、配管時に屈曲配管部保護カバー内において給水湯管の屈曲部が当該保護カバーの基台から外れるのを防止して、スムーズに配管できる。
【００１３】
また、請求項２の発明は、請求項１の発明において、前記基台における２つの接続口の近辺であって、前記屈曲配管経路の外側には、給水湯管を当接させることにより、当該給水湯管の直線部及び屈曲部を直線配管経路から屈曲配管経路にスムーズに導くべく、直線配管部保護カバーに形成された管保持部の管軸位置とほぼ一致する軸合せ部が形成されていることを特徴としている。
【００１４】
請求項２に発明によれば、屈曲された給水湯管の配管時において、屈曲配管部保護カバーの基台における２つの接続口の近辺であって、しかも屈曲配管経路の外側に形成された軸合せ部に給水湯管を当接させると、当該軸合せ部の管軸位置と直線配管部保護カバーの管保持部の管軸位置とはほぼ一致しているため、給水湯管における直線配管部保護カバーから屈曲配管部保護カバーにかけて配管される部分は、管軸位置が変化することなく、直線配管経路から屈曲配管経路にスムーズに導かれて配管される。
【００１５】
また、請求項３の発明は、１本の可撓性を有する合成樹脂製の給水湯管の途中を略９０°に屈曲させた屈曲部を収容保護するために、直線配管経路を構成していて、前記給水湯管の２つの直線部を収容保護するための２つの直線配管部保護カバーを略直交させて接続するために両端部に形成された２つの接続口と、前記給水湯管の屈曲部を収容保護するために内部に形成された収容空間とを備えた給水湯管の屈曲配管部保護カバーであって、前記基台における２つの接続口の近辺であって、前記屈曲配管経路の外側には、給水湯管の熱膨張による伸長、又は屈曲による復元力により当接して、屈曲された給水湯管の２つの直線部で形成される屈曲部形成角度が大きくなるように外側に移動するのを規制する規制壁が形成され、前記屈曲配管部保護カバーは、基台と蓋体とが互いに組み付けられて前記屈曲部を配管する屈曲配管経路が内部に形成され、前記基台における屈曲配管経路の内側には、初期配管の基準となる案内壁が形成され、前記屈曲配管部保護カバー内には、前記案内壁に沿って給水湯管の一部を当接させることにより、屈曲配管経路に沿わせて前記収容空間に給水湯管の屈曲部を初期配管した状態において、熱膨張により伸長した給水湯管の屈曲部の進入を許容する進入許容空間が前記屈曲配管経路の外側に前記収容空間に接続して形成されていることを特徴としている。
【００１６】
請求項３の発明によれば、１本の給水湯管の一部を、保護カバーを構成する基台に設けられた案内壁に当接させた状態で、当該給水湯管の屈曲部を屈曲配管経路に沿わせて収容空間に初期配管した後に、当該１本の給水湯管の複数の直線部を、直線配管部保護カバー内において、外周面を圧接する保持部により保持されることにより直線配管する。そして、屈曲部を有する１本の給水湯管が熱膨張により伸長すると、１本の給水湯管の両端部は移動できないように蛇口類、及び給湯器類に接続されていると共に、給水湯管の各直線部は直線配管部保護カバー内において保持部に外周面が圧接された状態でしっかりと保持されているため、１本の給水湯管の伸長は屈曲部に集約される。
また、給水湯管の屈曲部は、元の形状に戻ろうとする復元力によって、保護カバーの基台の２つの接続口の近辺に設けられた各規制壁に当接した状態で、屈曲配管経路に沿って配管されるため、保護カバー内において位置ずれすることなくしっかりと配管できる。
【００１７】
また、請求項４の発明は、請求項１ないし３のいずれかの発明において、前記屈曲配管部保護カバーは、壁面と平行な面内において屈曲された給水湯管の屈曲部を収容保護するものであることを特徴としている。
【００１８】
請求項４の発明によれば、基台における給水湯管の屈曲配管経路に沿って設けられる案内壁は、その全体形状を前記屈曲配管経路に対応して平面視で円弧板状に形成すればよいので、当該案内壁の構成が簡単となる。
【００１９】
【００２０】
また、請求項５の発明は、直線配管経路を構成する直線配管部保護カバーと、２本の直線配管部保護カバーの接続部に配設されて屈曲配管経路を構成する屈曲配管部保護カバーとによって、可撓性を有する合成樹脂管で形成されて、一端部は給湯先となる蛇口類に接続され、その他端部は給湯元となる給湯器類に接続されて、少なくとも１箇所には、同一平面内で屈曲された屈曲部を有する１本の給水湯管を配管する構造であって、前記屈曲配管部保護カバーは、直線配管部保護カバーと接続される２つの接続口を備えて、内部の屈曲配管経路の外側に、熱膨張により伸長した給水湯管の屈曲部の進入を許容する進入許容空間が形成されていると共に、前記屈曲配管経路の内側に、初期配管の基準となる案内壁が形成され、前記屈曲配管部保護カバー内には、前記各接続口の近辺において、熱膨張による給水湯管の屈曲部の伸長を前記進入許容空間の側に導くために、前記屈曲配管経路の外側に配置されて給水湯管の外側面を当接させるための規制壁が形成され、前記１本の給水湯管の複数の直線部は、前記直線配管部保護カバー内において、給水湯管の外周面を圧接する保持部により保持されて直線配管されると共に、前記給水湯管の屈曲部は、前記屈曲配管部保護カバー内において、熱膨張による給水湯管の伸長が当該屈曲部に集約されることにより、屈曲配管経路の外側の進入許容空間に進入可能なように、前記案内壁に沿った状態で当該屈曲配管経路に屈曲配管されることを特徴としている。
【００２１】
請求項５の発明は、請求項３の発明を「配管構造」の面から把握して表現したものであって、その配管途中、及び配管後の各状態は、請求項３の発明と実質的に同一である。
【００２２】
また、請求項６の発明は、直線配管経路を構成する直線配管部保護カバーと、２本の直線配管部保護カバーの接続部に配設されて屈曲配管経路を構成する屈曲配管部保護カバーとによって、可撓性を有する合成樹脂管で形成されて、一端部は給湯先となる蛇口類に接続され、その他端部は給湯元となる給湯器類に接続されて、少なくとも１箇所には屈曲部を有する１本の給水湯管を配管する構造であって、前記屈曲配管部保護カバーは、直線配管部保護カバーと接続される２つの接続口を備えて、内部の屈曲配管経路の外側に、熱膨張により伸長した給水湯管の屈曲部の進入を許容する進入許容空間が形成されていると共に、前記屈曲配管経路の内側に、初期配管の基準となる案内壁が形成され、前記屈曲配管部保護カバー内には、前記各接続口の近辺において、熱膨張による給水湯管の屈曲部の伸長を前記進入許容空間の側に導くために、前記屈曲配管経路の外側に配置されて給水湯管の外側面を当接させるための規制壁が形成され、前記１本の給水湯管の複数の直線部は、前記直線配管部保護カバー内において、給水湯管の外周面を圧接する保持部により保持されて直線配管されると共に、前記給水湯管の屈曲部は、前記屈曲配管部保護カバー内において、熱膨張による給水湯管の伸長が当該屈曲部に集約されることにより、屈曲配管経路の外側の進入許容空間に進入可能なように、当該屈曲配管経路に屈曲配管されることを特徴としている。
【００２３】
請求項６の発明によれば、１本の給水湯管の複数の直線部は、直線配管部保護カバー内において、外周面を圧接する保持部により保持されて直線配管されると共に、その屈曲部は、屈曲配管部保護カバー内において、熱膨張による給水湯管の伸長が当該屈曲部に集約されて、屈曲配管経路の外側の進入許容空間に進入可能なように、当該屈曲配管経路に屈曲配管される構造であるため、屈曲部を有する１本の給水湯管が熱膨張により伸長すると、１本の給水湯管の両端部は移動できないように蛇口類、及び給湯器類に接続されていると共に、給水湯管の各直線部は直線配管部保護カバー内において保持部に外周面が圧接された状態でしっかりと保持されているため、１本の給水湯管の伸長は屈曲部に集約される。
【００２４】
そして、伸長が集約された屈曲部は、当該伸長により屈曲配管部保護カバー内の屈曲配管経路の外側の進入許容空間内に移動すると共に、温度の低下により熱膨張された給水湯管が収縮すると、当該屈曲部は、熱膨張時と逆方向に移動して元の屈曲配管経路に戻る。このように、両端部が移動できないように蛇口類、及び給湯器類に接続されていて、途中に屈曲部を有する１本の給水湯管が熱膨張により伸長した場合には、当該伸長は屈曲配管部保護カバー内に屈曲配管された屈曲部に集約されて、当該屈曲部は、屈曲配管経路の外側の進入許容空間内に進入するため、屈曲配管部保護カバーに当接して力を及ぼすことはない。よって、１本の給水湯管が熱膨張しても、屈曲配管部保護カバーの基台に対して蓋体が外れることはない。
【００２５】
また、請求項７の発明は、請求項６の発明において、前記屈曲配管部保護カバー内には、前記各接続口の近辺において、前記直線配管部保護カバーの保持部により保持された給水湯管の管軸と略同一位置に給水湯管を配置可能とする軸合せ部が形成されていることを特徴としており、その作用効果は、請求項２の発明と同様である。
【００２６】
【００２７】
【発明の効果】
【００２８】
本発明によれば、加熱による給水湯管の伸長の大部分は屈曲部に集約されて吸収され、当該屈曲部が保護カバー内の屈曲配管経路から外側に移動して進入許容空間に進入するため、加熱膨張により外側に移動する屈曲部が屈曲配管部保護カバーに対して力を及ぼさないので、保護カバーの基台に対して蓋体が外れなくなると共に、給水湯管の直線部の伸長が少なくなるために、直線部の保護カバーの蓋体も外れにくくなる。また、給水湯管の途中に屈曲部が形成されていて、１本の給水湯管の長さが長くなるので、給水湯管どうしを接続する継手の数が減少するため、配管作業の能率も高まる。
【図面の簡単な説明】
【００２９】
【図１】本発明に係る屈曲配管部保護カバーＫ1,Ｋ2,Ｋ3 を使用して管Ｐを壁面５０に配管した状態の斜視図である。
【図２】本発明の実施例１の屈曲配管部保護カバーＫ1 を構成する基台Ｖ1 と蓋体Ｌ1 と屈曲された管Ｐの斜視図である。
【図３】屈曲配管部保護カバーＫ1 の基台Ｖ1 の拡大斜視図である。
【図４】屈曲配管部保護カバーＫ1 内に管Ｐの屈曲部Ｐ1 を収容して配管した状態の平面図である。
【図５】（イ），（ロ）は、それぞれ図４のＸ1 −Ｘ1 線及びＸ2 −Ｘ2 線断面図である。
【図６】図４のＸ3 −Ｘ3 線矢視図である。
【図７】案内壁Ｗ1 を主体に示す屈曲配管部保護カバーＫ1 の基台Ｖ1 の斜視図である。
【図８】基台Ｖ1 の案内壁Ｗ1 の部分の拡大平面断面図である。
【図９】屈曲配管部保護カバーＫ1 の蓋体Ｌ1 の底面図である。
【図１０】（イ）は、本発明に係る配管例の模式図であり、（ロ）及び（ハ）は、従来の配管例の模式図である。
【図１１】本発明に係る屈曲配管部保護カバーＫ2 を使用して、建物壁の入隅部Ｎ1 に屈曲部Ｐ1 を配置して管Ｐが配管された状態を示す斜視図である。
【図１２】同じく配管方向に沿った断面図（縦断面図）である。
【図１３】図１２のＹ−Ｙ線矢視図である。
【図１４】本発明に係る屈曲配管部保護カバーＫ3 を使用して、建物壁の出隅部Ｎ2 に屈曲部Ｐ1 を配置して管Ｐが配管された状態を示す斜視図である。
【図１５】同じく配管方向に沿った断面図（縦断面図）である。
【図１６】図１５のＺ−Ｚ線断面図である。
【発明を実施するための形態】
【００３０】
以下、最良の実施形態を複数挙げて本発明について更に詳細に説明する。
【実施例１】
【００３１】
最初に、壁面５０と平行な平面内において管Ｐを屈曲させて配管するのに使用される屈曲配管部保護カバーＫ1 について説明する。図１は、本発明に係る屈曲配管部保護カバーＫ1,Ｋ2,Ｋ3 を使用して管Ｐを壁面５０に配管した状態の斜視図であり、図２は、本発明の実施例１の屈曲配管部保護カバーＫ1 を構成する基台Ｖ1 と蓋体Ｌ1 と屈曲された管Ｐの斜視図であり、図３は、屈曲配管部保護カバーＫ1 の基台Ｖ1 の拡大斜視図であり、図４は、屈曲配管部保護カバーＫ1 内に管Ｐの屈曲部Ｐ1 を収容して配管した状態の平面図であり、図５（イ），（ロ）は、それぞれ図４のＸ1 −Ｘ1 線及びＸ2 −Ｘ2 線断面図であり、図６は、図４のＸ3 −Ｘ3 線矢視図であり、図７は、案内壁Ｗ1 を主体に示す屈曲配管部保護カバーＫ1 の基台Ｖ1 の斜視図であり、図８は、基台Ｖ1 の案内壁Ｗ1 の部分の拡大平面断面図であり、図９は、屈曲配管部保護カバーＫ1 の蓋体Ｌ1 の底面図である。
【００３２】
屈曲配管部保護カバーＫ1 は、図２ないし図６に示されるように、壁面５０と平行な平面内において管Ｐを屈曲させて配管する場合に、当該屈曲部Ｐ1 を収容保護するためのカバーであって、複数本のビスＢを介して壁面５０に固定される基台Ｖ1 と、当該基台Ｖ1 とで管Ｐの収容空間Ｄ1 を形成して当該管Ｐを収容保護するための蓋体Ｌ1 とで構成される。基台Ｖ1 は、平面視において全体形状は変則Ｌ字状をなしていて、基台Ｖ1 の内側の外形線（後述する内係合壁部４の平面形状）は、中心角９０°でかつ半径Ｒ1 の円弧部（わん曲部）１の両端に直線部が連続した形状であり、基台Ｖ1 の外側の外形線（後述する外係合壁部５の平面形状）は、中心角９０°でかつ前記半径Ｒ1 の円弧部の中心Ｃ1 と異なる中心Ｃ2 を有して前記半径Ｒ1 よりも遥かに小さな半径Ｒ2 の円弧部（わん曲部）２の両端に直線部が連続した形状である。このため、基台Ｖ1 には、後述する直線配管部保護カバーＫ11によって定められる直線配管経路Ａ2 と接続する円弧状の屈曲配管経路Ａ1 が連続して形成されて、基台Ｖ1 の屈曲配管経路Ａ1 の部分における配管方向に沿った幅は、両端から前記各中心Ｃ1 ，Ｃ2 を結ぶ位置までは徐々に広くなっていて、前記各中心Ｃ1 ，Ｃ2 を結ぶ位置において最大幅となっている。この結果、基台Ｖ1 に蓋体Ｌ1 を覆蓋することにより、屈曲配管経路Ａ1 に沿った部分が管Ｐの収容空間Ｄ1 となり、屈曲配管経路Ａ1 の配管方向に沿った中央部よりも外側の部分には、管Ｐの熱膨張により管Ｐの屈曲部Ｐ1 に伸長が集約された場合において当該屈曲部Ｐ1 が外側に移動して進入するのを許容する進入許容空間Ｄ2 （図２ないし図４参照）となっている。図４及び図５（ロ）に示されるように、収容空間Ｄ1 と進入許容空間Ｄ2 とを合成した空間には、対応する管Ｐが同時に３本程度収容できる大きさを有している。なお、屈曲配管部保護カバーＫ1 には、厳密には、円弧状の屈曲配管経路の両端に短い直線状の直線配管経路が接続された合成配管経路が形成されているが、本明細書における「屈曲配管経路」とは、屈曲配管部保護カバーＫ1 の内部に形成される配管経路の全て（円弧状の屈曲配管経路の両端に短い直線状の直線配管経路が接続された全配管経路）を意味する。
【００３３】
屈曲配管部保護カバーＫ1 の基台Ｖ1 の底板部３の幅方向の両端部には、内側及び外側の各外形線に沿って内外の各係合壁部４，５が全長に亘ってそれぞれ形成されている。各係合壁部４，５は、図５に示されるように、内外の各係合壁部４，５の上端が収容空間Ｄ1 に収容配管された管Ｐの管軸Ｃ3 よりも低い位置となるような高さを有する低い壁部である。内外の各係合壁部４，５の外側面には、被係合部４ａ，５ａが外側に突出した形態で全長に亘ってそれぞれ形成されている。底板部３における配管方向に沿った中央部であって、内係合壁部４の内側面に近接した部分には、配管時において管Ｐの屈曲部Ｐ1 を沿わせる配管基準とする案内壁Ｗ1 が配管方向に沿うようにわん曲して形成されている。案内壁Ｗ1 は、図４、図７及び図８に示されるように、配管方向に沿って所定間隔をおいて、管Ｐを当接可能なように当該管Ｐの大きさに対応した断面円弧状の当接面６ａが内側に形成された厚壁状の一対の管当接壁部６と、管Ｐの屈曲部Ｐ1 が各管当接壁部６から乗り越えるのを防止するために、当該一対の管当接壁部６の間に形成された薄壁状の乗越防止壁部７とで構成される。乗越防止壁部７の上端部は、基台Ｖ1 の内方に向けてわん曲されて、基台Ｖ1 の屈曲配管経路Ａ1 に配管された管Ｐの屈曲部Ｐ1 の側面から斜上端に至る部分が当接して当該屈曲部Ｐ1 が一対の管当接壁部６から乗り越えるのを防止する高さを有する乗越防止板部７ａとなっている。また、案内壁Ｗ1 を構成する一対の管当接壁部６は厚壁状であるのに対して、一対の管当接壁部６の間に配置される乗越防止壁部７は薄壁状であるため、両壁部６，７の接続部には、管当接壁部６のエッジ部６ｂが露出していて、当該エッジ部６ｂにより管Ｐの屈曲部Ｐ1 が損傷されるのを防止するために、一対の管当接壁部６の当接面６ａにおける配管方向に沿って内端となる部分には、小突条８が高さ方向に沿って当接面６ａに対応してわん曲して設けられている。なお、図７及び図８において、１０は、底板部３における左右一対の管当接壁部６の間に形成された孔部を示す。
【００３４】
また、図３、図４及び図６に示されるように、基台Ｖ1 の外係合壁部５の配管方向に沿った両端部であって、当該外係合壁部５に近接した部分（屈曲配管経路Ａ1 の外側の部分）には、屈曲された管Ｐを当接保持させて当該管Ｐが外側に移動するのを防止すると同時に、直線配管部保護カバーＫ11の基台Ｖ11に形成された左右一対の管保持部４３で保持された管Ｐの管軸Ｃ3 の位置と一致させて保持するための軸合せ部を兼用した規制壁Ｗ2 が形成されている。規制壁Ｗ2 の内側面は、前記管当接壁部６の内側面の当接面６ａの上端部をそのまま上方に延長させた形状の当接面１６となっている〔図５（イ）及び図６参照〕。従って、当接面１６は、直線配管部保護カバーＫ11の基台Ｖ11の各管保持部４３で保持された管Ｐの管軸Ｃ3 と一致させるべく、基台Ｖ11の各管保持部４３との関係において高さ方向に沿った特定位置に、管Ｐの外径に対応する円弧面部１６ａと、当該円弧面部１６ａの上端に接続する垂直平面部１６ｂとで構成される。
【００３５】
また、基台Ｖ1 の底板部３の上面には、屈曲配管経路Ａ1 に沿って配管される管Ｐの屈曲部Ｐ1 の管軸Ｃ3 の位置に対応する凹条９が形成され、底板部３における凹条９の両端部、及び外係合壁部５の円弧部（わん曲部）２の内側の計３箇所には、ビス下孔１１ａ，１１ｂがそれぞれ形成されている。ビス下孔１１ｂは、屈曲配管経路Ａ1 の外側の進入許容空間Ｄ2 に形成されていて、熱膨張により管Ｐの屈曲部Ｐ1 が進入許容空間Ｄ2 に進入したり、熱収縮により管Ｐが元の屈曲配管経路Ａ1 に戻ることを繰り返すと、ビス下孔１１ｂに挿通したビスＢの頭部Ｂａが管Ｐに摺接することが繰り返されて当該管Ｐの特定部が破損して漏水等する危険があり、この危険を回避するためにビス下孔１１ｂの両側には、円弧部１の中心Ｃ1 と円弧部２の中心Ｃ2 とを結ぶ線分と平行となって所定高さＨ〔図５（ロ）参照〕を有する一対のガイド部１２が形成されている。このため、進入許容空間Ｄ2 に進入する管Ｐの屈曲部Ｐ1 は、一対のガイド部１２の上面に沿って移動するため、管Ｐの屈曲部Ｐ1 とビスＢの頭部Ｂａとの摺接を回避できる。また、基台Ｖ1 の底板部３の配管方向に沿った両端部には、同じく配管方向に沿って位置決め突片１３が突出して形成されている。当該位置決め突片１３は、図４及び図６に示されるように、屈曲配管部保護カバーＫ1 の基台Ｖ1 と直線配管部保護カバーＫ11の基台Ｖ11とを接続する際に、当該基台Ｖ11の底板部４１の裏面に形成された凹溝４２に嵌合させて、幅方向（配管方向と直交する方向）の位置決めを行う部分である。
【００３６】
また、図２、図５、図６及び図９に示されるように、蓋体Ｌ1 は、基台Ｖ1 に対応した平面形状と略Ｕ字状の横断面形状とを有していて、対向する一対の内外の各側板部３１，３２が天板部３３で連結されて下面が開口しており、配管方向に沿った高さは同一であるが、その幅は、基台Ｖ1 の配管方向の幅の変化に対応して変化している。一対の内外の各側板部３１，３２の内側面であって、しかも開口に近い部分には、基台Ｖ1 の内外の各係合壁部４，５の外側に形成された各被係合部４ａ，５ａと係合可能な複数の係合部３１ａ，３２ａがそれぞれ形成されている。即ち、蓋体Ｌ1 の配管方向に沿った両端部における一対の内外の各側板部３１，３２の内側面にそれぞれ係合部３１ａ，３２ａが対向して形成されていると共に、外側板部３２における基台Ｖ1 の外係合壁部５の円弧部（わん曲部）２に対応する部分に係合部３２ａが形成され、計５個の係合部３１ａ，３２ａが形成されている。基台Ｖ1 に対して蓋体Ｌ1 が覆蓋された状態において、保護カバーＫ1 の配管方向に沿った両端部は、互いに直交して配管される２本の直線配管部保護カバーＫ11をそれぞれ接続させる接続口１７となっている。
【００３７】
また、直線配管部保護カバーＫ11は、図２及び図６（図６では、直線配管部保護カバーＫ11は２点鎖線で示されている）に示されるように、基台Ｖ11と当該基台Ｖ11に覆蓋される蓋体Ｌ11とから成り、管Ｐは基台Ｖ11に形成された一対の管保持部４３によって保持される。直線配管部と屈曲配管部の各保護カバーＫ11，Ｋ1 は、直線配管部保護カバーＫ11の基台Ｖ11に蓋体Ｌ11を覆蓋した状態において、当該蓋体Ｌ11が屈曲配管部保護カバーＫ1 の蓋体Ｌ1 の配管方向に沿った端部で覆われるようにして互いに接続される。なお、図６において４４は、左右一対の管保持部４３の内側に配置されて、管Ｐの外周を覆う断熱材を示す。
【００３８】
次に、リフォームによって建物の壁面５０に沿って屈曲部Ｐ1 を有する管Ｐを屈曲配管部、及び直線配管部の各保護カバーＫ1 ，Ｋ11を使用して配管することにより、蛇口７１を取付ける場合について説明する。まず、図２に示されるように、壁面５０に罫書かれた配管の罫書き線を基準にして、各保護カバーＫ1 ，Ｋ11の基台Ｖ1 ，Ｖ11を壁面に固定する。まず、屈曲配管部保護カバーＫ1 の基台Ｖ1 の裏面に貼り付けられている両面テープＴ（図５及び図６参照）によって、当該基台Ｖ1 を壁面５０に仮固定した後に、基台Ｖ1 の底板部３に形成された計３個の各ビス下孔１１ａ，１１ｂに挿通したビスＢを介して基台Ｖ1 を壁面５０に本固定する。次に、直線配管部保護カバーＫ11の基台Ｖ11の底板部４１の凹溝４２内に、屈曲配管部保護カバーＫ1 の基台Ｖ1 の位置決め突片１３を嵌合させることにより、屈曲配管部保護カバーＫ1 の基台Ｖ1 に対する直線配管部保護カバーＫ11の基台Ｖ11の幅方向の位置決めを行って、ビス（図示せず）を介して当該基台Ｖ11を壁面５０に固定する。
【００３９】
その後に、管Ｐを屈曲させた屈曲部Ｐ1 を、壁面５０に固定された保護カバーＫ1 の基台Ｖ1 の屈曲配管経路Ａ1 に沿って配管すると共に、管Ｐの直線部Ｐ2 を、壁面５０に固定された保護カバーＫ11の基台Ｖ11の直線配管経路Ａ2 に沿って配管する。管Ｐの屈曲部Ｐ1 を基台Ｖ1 の屈曲配管経路Ａ1 に沿って配管する際には、管Ｐの屈曲部Ｐ1 の内側を案内壁Ｗ1 を構成する各管当接壁部６に沿わせるか、或いは当接させるかして、当該案内壁Ｗ1 を屈曲配管の基準として配管すると、管Ｐの屈曲部Ｐ1 と直線部Ｐ2 との各接続部分は、屈曲された管Ｐの有する復元力により、基台Ｖ1 の配管方向に沿った両端部の規制壁Ｗ2 の当接面１６に当接すると共に、案内壁Ｗ1 を構成する乗越防止壁部７の上端の乗越防止板部７ａにより管Ｐの斜上側方の外周面が覆われて、管Ｐは、案内壁Ｗ1 から乗り越えるのを防止された形態で屈曲配管経路Ａ1 に配管される。このように、管Ｐの屈曲部Ｐ1 は、元の形状に戻ろうとする復元力によって、保護カバーＫ1 の基台Ｖ1 の２つの接続口１７の近辺に設けられた各規制壁Ｗ2 に当接した状態で、屈曲配管経路Ａ1 に沿って配管されるため、保護カバーＫ1 内において位置ずれすることなくしっかりと配管できる。
【００４０】
これにより、屈曲された管Ｐの各直線部Ｐ2 で形成される屈曲角度が大きくなるように変形して、当該管Ｐは、外側に移動するのが防止されて、その屈曲部Ｐ1 は、基台Ｖ1 に形成された屈曲配管経路Ａ1 に沿って配管される。また、規制壁Ｗ2 の内面に形成された当接面１６の円弧面部１６ａは、当該円弧面部１６ａに当接して保持される管Ｐの屈曲部Ｐ1 の管軸Ｃ3 を、直線配管部保護カバーＫ11の基台Ｖ11により保持される管Ｐの直線部Ｐ2 の管軸Ｃ3 に一致させる軸合せ部としての機能を併有しているため、管Ｐを上記のようにして基台Ｖ1 に配管すると、その屈曲部Ｐ1 は基台Ｖ1 の屈曲配管経路Ａ1 に配管されると同時に、屈曲部Ｐ1 の両端部の軸合せも行われて、管Ｐの直線部Ｐ2 及び屈曲部Ｐ1 を直線配管経路Ａ2 から屈曲配管経路Ａ1 にスムーズに導くことができる。この結果、屈曲部Ｐ1 を有する管Ｐの屈曲配管をスムーズに行える。なお、管Ｐの両端部は、蛇口７１に接続された継手、及び水平配管された他の２本の直管と接続する三方継手（いずれも図示せず）に接続される（図１参照）。
【００４１】
次に、屈曲配管部保護カバーＫ1 の基台Ｖ1 に対して蓋体Ｌ1 を押し込むと、当該蓋体Ｌ1 の内外の各側板部３１，３２の係合部３１ａ，３２ａが基台Ｖ1 の被係合部４ａ，５ａを通過する直前において外方に最大に弾性変形され、通過後において、各側板部３１，３２が原形状に復元して、基台Ｖ1 の被係合部４ａ，５ａと蓋体Ｌ1 の係合部３１ａ，３２ａとが係合されることにより、基台Ｖ1 と蓋体Ｌ1 とが一体化される（図５参照）。これにより、図４及び図５に示されるように、一体化された基台Ｖ1 と蓋体Ｌ1 とにより、基台Ｖ1 の内係合壁部４に沿って管Ｐの屈曲部Ｐ1 を収容する収容空間Ｄ1 が形成される。当該収容空間Ｄ1 は、管Ｐの屈曲部Ｐ1 を配管する屈曲配管経路Ａ1 となり、屈曲配管経路Ａ1 の配管方向に沿った中央部であって、当該屈曲配管経路Ａ1 の外側には、熱膨張による管Ｐの伸長が屈曲部Ｐ1 に集約して、当該屈曲部Ｐ1 が外側に移動して進入するのを許容する進入許容空間Ｄ2 が形成される。
【００４２】
上記のようにして配管された屈曲部Ｐ1 を有する管Ｐは、その両端部がそれぞれ蛇口７１に接続された継手、及び水平配管された他の２本の直管と接続する三方継手（いずれも図示せず）にしっかりと接続されているため、管Ｐに湯が長時間に亘って供給された場合には、熱膨張による管Ｐの伸長は、当該管Ｐの直線部Ｐ2 の蛇行及び屈曲部Ｐ1 の移動の少なくとも一方により吸収される。本発明においては、管Ｐの屈曲部Ｐ1 は、その屈曲配管経路Ａ1 の外側に大きな進入許容空間Ｄ2 が形成された屈曲配管部保護カバーＫ1 内に収容され、しかも管Ｐの屈曲部Ｐ1 と直線部Ｐ2 との接続部は、いずれも規制壁Ｗ2 により外側への自由移動が規制されている。即ち、管Ｐの屈曲部Ｐ1 は、その外側の進入許容空間Ｄ2 に移動し易い構造で配管されているため、管Ｐの直線部Ｐ2 の蛇行変形はないか、或いは従来のエルボ継手を使用した配管構造に比較して少なくなるため、管Ｐの全体としての伸長の大部分は、屈曲部Ｐ1 に集約される。このため、管Ｐが熱膨張すると、その伸長が集約された屈曲部Ｐ1 は、図４及び図５（ロ）で２点鎖線で示されるように、本来の屈曲配管経路Ａ1 の外側の進入許容空間Ｄ2 に進入するように移動して収容される。管Ｐの屈曲部Ｐ1 が進入許容空間Ｄ2 に進入した場合でも、当該屈曲部Ｐ1 は、保護カバーＫ1 の蓋体Ｌ1 に当接することはないので、基台Ｖ1 に対して蓋体Ｌ1 が外れる恐れはない。
【００４３】
また、管Ｐは高温の湯の存否、及び当該存否時間の長短によって伸縮を繰り返し、管Ｐに水が供給される等して温度が低下した場合には、熱膨張時を基準にすると、管Ｐは収縮するが、その収縮の大部分も上記理由により屈曲部Ｐ1 に集約されるため、熱収縮により当該屈曲部Ｐ1 は、元の屈曲配管経路Ａ1 に戻る。このように、管Ｐに供給される湯水の温度、及びその存在時間の長短によって、当該管Ｐが熱膨張と熱収縮を繰り返すことにより、管Ｐの屈曲部Ｐ1 は、保護カバーＫ1 の蓋体Ｌ1 に当接することなく、保護カバーＫ1 の収容空間Ｄ1 とその外側の進入許容空間Ｄ2 との間の逆方向の移動を繰り返すため、保護カバーＫ1 の蓋体Ｌ1 は外れない。一方、直線配管部保護カバーＫ11に関しては、管Ｐの熱膨張による伸長が屈曲部Ｐ1 に集約されて、管Ｐの直線部Ｐ2 の蛇行による伸長は小さくなるため、管Ｐの直線部Ｐ2 の蛇行量も少なくなる。よって、直線配管部保護カバーＫ11に関しても、収容保護している管Ｐの直線部Ｐ2 の蛇行量は少なくなるため、基台Ｖ11に対して蓋体Ｌ11が外れることは殆どなくなる。結果として、屈曲配管部、及び直線配管部のいずれの保護カバーＫ1 ，Ｋ11の蓋体Ｌ1 ，Ｌ11も外れなくなる。
【００４４】
図１０（イ）は、本発明に係る屈曲部Ｐ1 を有する１本の管Ｐによる配管構造を、従来の配管構造との比較で示した模式図である。なお、図１０は、本発明と従来の各配管構造を模式的に図示するものであるので、図１０（イ）は、図１の配管構造と近似しているが完全には整合していない。図１０の模式図から明白なように、本発明の配管構造によれば、管Ｐの屈曲部Ｐ1 を保護するカバーＫ1 の蓋体Ｌ1 及び直線部Ｐ2 を保護するカバーＫ11の蓋体Ｌ11の双方が外れないという利点のみならず、従来の配管の屈曲部で使用していたエルボ継手の数が半減するため、配管経路に使用する継手の総数が半減する利点も有する。使用継手の総数の半減により、継手の部分における漏水等の発生が激減すると共に、配管作業の手間も少なくなって、配管を能率的に行える。なお、請求項６及び７の各発明において、少なくとも１箇所に屈曲部を有する１本の給水湯管の両端部が接続される「蛇口類」及び「給湯器類」とは、「蛇口」及び「給湯器」そのものである場合は勿論のこと、他の配管材と接続するのに使用される「接続具〔図１０（イ）のエルボ継手６１等」も含まれる。
【００４５】
なお、上記実施例１において、案内壁Ｗ1 は、屈曲配管経路Ａ1 に沿った中央部のみに部分的に形成されているため、管Ｐを過剰屈曲させた後に開放させると、復元力により屈曲部Ｐ1 の両端部を各規制壁Ｗ2 に自然に当接させられるので、屈曲配管が容易となる利点があるが、屈曲配管経路Ａ1 の両端部を除くほぼ全長に亘って形成することも可能である。
【実施例２】
【００４６】
引き続いて、図１１ないし図１３を参照して、管Ｐの屈曲部Ｐ1 が建物壁の入隅部Ｎ1 に配置される場合に使用される本発明の実施例２の屈曲配管部保護カバーＫ2 について説明する。図１１は、本発明に係る屈曲配管部保護カバーＫ2 を使用して、建物壁の入隅部Ｎ1 に屈曲部Ｐ1 を配置して管Ｐが配管された状態を示す斜視図であり、図１２は、同じく配管方向に沿った断面図であり、図１３は、図１２のＹ−Ｙ線矢視図である。屈曲配管部保護カバーＫ2 は、Ｌ字形の側面形状を有する基台Ｖ2 と、当該基台Ｖ2 の内側の面を覆うように覆蓋される蓋体Ｌ2 とから成る。基台Ｖ2 は、配管方向の中央部で直交する底板部８１の幅方向の両端部にそれぞれ係合壁部８２が形成され、底板部８１の配管方向の両端部に管規制部８３がそれぞれ形成され、両端の各管規制部８３の間に、管Ｐの屈曲部Ｐ1 の配管を案内する案内壁Ｗ3 が配管方向に沿ってわん曲し、しかも底板部８１と対向する側が開口した形態で、横断面視において一端部が一方の係合壁部８２に対して一体に形成されている。このため、案内壁Ｗ3 の開口８４と、直交した底板部８１との間に、管Ｐの熱膨張によって伸長した屈曲部Ｐ1 の進入を許容する進入許容空間Ｄ2'が形成される。
【００４７】
建物壁の入隅部Ｎ1 に屈曲配管部保護カバーＫ2 の基台Ｖ2 を複数本のビスＢを介して固定しておいて、管Ｐの屈曲部Ｐ1 を案内壁Ｗ3 の開口８４の側から当該案内壁Ｗ3 内に挿入して開放すると、当該屈曲部Ｐ1 の配管方向の両端部は、復元力によって各管規制部８３の上面の円弧状の規制面８３ａに当接して、管Ｐが外側に移動するのが防止されて、管Ｐの屈曲部Ｐ1 の屈曲状態が定められる。この状態で、基台Ｖ2 に対して蓋体Ｌ2 を覆蓋すると、建物壁の入隅部Ｎ1 に配置された管Ｐの屈曲部Ｐ1 は、当該屈曲部Ｐ1 の屈曲状態を保持して屈曲配管部保護カバーＫ2 内に収容される。なお、屈曲配管部保護カバーＫ2 の基台Ｖ2 と直線配管部保護カバーＫ11の基台Ｖ11との接続は、実施例１と同様である。
【００４８】
そして、管Ｐが熱膨張により伸長すると、その屈曲部Ｐ1 に伸長が集約されて、屈曲部Ｐ1 は開口８４から抜け出て、当該開口８４の外側の進入許容空間Ｄ2'に進入すると共に、管Ｐが熱収縮により収縮すると、進入許容空間Ｄ2'に進入していた屈曲部Ｐ1 は開口８４から元の収容空間Ｄ1'に戻って収容される。よって、屈曲配管部保護カバーＫ2 を使用すれば、入隅部Ｎ1 に配置される管Ｐの屈曲部Ｐ1 の伸長を進入許容空間Ｄ2'内において吸収できるため、屈曲配管部保護カバーＫ2 の蓋体Ｌ2 及び直線配管部保護カバーＫ11の蓋体Ｌ11が外れるのを防止できる。
【実施例３】
【００４９】
次に、図１４ないし図１６を参照して、管Ｐの屈曲部Ｐ1 が建物壁の出隅部Ｎ2 に配置される場合に使用される本発明の実施例３の屈曲配管部保護カバーＫ3 について説明する。図１４は、本発明に係る屈曲配管部保護カバーＫ3 を使用して、建物壁の出隅部Ｎ2 に屈曲部Ｐ1 を配置して管Ｐが配管された状態を示す斜視図であり、図１５は、同じく配管方向に沿った断面図であり、図１６は、図１５のＺ−Ｚ線断面図である。屈曲配管部保護カバーＫ3 は、Ｌ字形の側面形状を有する基台Ｖ3 と、当該基台Ｖ3 の外側の面を覆うようにして覆蓋される蓋体Ｌ3 とから成る。基台Ｖ3 は、配管方向の中央部で直交する底板部９１の幅方向の両端部であって、しかも配管方向に沿った両端部に係合壁部９２がそれぞれ形成され、底板部９１の配管方向の両端部に断面円弧状をした管規制部９３がそれぞれ形成され、底板部９１の配管方向に沿った中央部には、管Ｐの屈曲部Ｐ1 の曲率半径を大きくするための膨出部９４が形成された構成である。一方、基台Ｖ3 に係合により覆蓋される蓋体Ｌ3 は、配管方向に沿った中央部が外方に大きく膨出した膨出部９５が形成されて、当該膨出部９５の内部が進入許容空間Ｄ2'' となった構成である。
【００５０】
このため、建物壁の出隅部Ｎ2 に複数本のビスＢを介して基台Ｖ3 を固定した後に、管Ｐの屈曲部Ｐ1 と直線部Ｐ2 との各接続部を基台Ｖ3 の管規制部９３にそれぞれ嵌め込むと、屈曲された管Ｐの復元力により管Ｐの前記各接続部は、各管規制部９３の内周面に当接して、屈曲部Ｐ1 の屈曲状態が保持される。その後に、基台Ｖ3 に対して蓋体Ｌ3 を覆蓋すると、管Ｐの屈曲部Ｐ1 は、屈曲配管経路の外側に進入許容空間Ｄ2'' が形成された形態で保護カバーＫ3 内に収容保護される。このため、建物壁の出隅部Ｎ2 に配管された管Ｐが熱膨張しても、屈曲部Ｐ1 は外側の進入許容空間Ｄ2'' に進入するため、管Ｐの熱膨張によって保護カバーＫ3 の蓋体Ｌ3 及び直線配管部保護カバーＫ11の蓋体Ｌ11が外れるのを防止できる。なお、図１５において、Ｄ1'' は、保護カバーＫ3 の屈曲配管経路に形成された管Ｐの屈曲部Ｐ1 の収容空間を示す。
【符号の説明】
【００５１】
Ａ1 ：屈曲配管経路
Ａ2 ：直線配管経路
Ｂ：ビス
Ｂａ：ビスの頭部
Ｃ3 ：管軸
Ｄ1 ：収容空間
Ｄ2,Ｄ2', Ｄ2'' ：進入許容空間
Ｋ1 〜Ｋ3 ：屈曲配管部保護カバー
Ｋ11：直線配管部保護カバー
Ｌ1 〜Ｌ3 ：蓋体
Ｐ：屈曲部を有する給水湯管
Ｐ0 ：直管状の給水湯管
Ｐ1 ：給水湯管の屈曲部
Ｐ2 ：給水湯管の直線部
Ｖ1 〜Ｖ3 ：基台
Ｗ1,Ｗ3 ：案内壁
Ｗ2 ：規制壁（軸合せ部）
７：乗越防止壁部
１２：ガイド部
１７：接続口
５０：壁面
８３，９３：管規制部（規制壁部）
【図１】
0005502046.tif 000002
【図２】
0005502046.tif 000003
【図３】
0005502046.tif 000004
【図４】
0005502046.tif 000005
【図５】
0005502046.tif 000006
【図６】
0005502046.tif 000007
【図７】
0005502046.tif 000008
【図８】
0005502046.tif 000009
【図９】
0005502046.tif 000010
【図１０】
0005502046.tif 000011
【図１１】
0005502046.tif 000012
【図１２】
0005502046.tif 000013
【図１３】
0005502046.tif 000014
【図１４】
0005502046.tif 000015
【図１５】
0005502046.tif 000016
【図１６】
0005502046.tif 000017